(57)【要約】【課題】  簡易な構成で、オイルミストを確実に除去できるようにする。【解決手段】ミスト捕捉室５は、空気を高速に流入させる流入口と、該流入口から流入する空気が衝突する位置に配置され、間接的に衝突したミストを付着捕捉するミスト受け１６と、前記流入口と前記ミスト受け１６との間の所定の広がりの周囲空間を囲み、排気される空気中に含まれる前記ミストを付着させて捕捉する袋状不織布（フィルタ部材）２１とからなっている。【選択図】図１
2006095514.tif 000002
【特許請求の範囲】
【請求項１】
空気を吸引し、吸引した空気の中に含まれるミストを除去して、清浄化された空気を排気するミスト除去装置であって、
外部から空気を吸引する送風機と、該送風機によって加圧高速化された空気を流入させ、流入した空気中に含まれるミストを除去して、空気を排出させるミスト捕捉室とを備え、
該ミスト捕捉室は、前記空気を高速に流入させる流入口と、該流入口から流入する空気が衝突する位置に配置され、直接的又は間接的に衝突したミストを付着捕捉するミスト受けと、前記流入口と前記ミスト受けとの間の所定の広がりの周囲空間を囲み、排気される空気中に含まれる前記ミストを付着させて捕捉するフィルタ部材とからなることを特徴とするミスト除去装置。
【請求項２】
空気を吸引し、吸引した空気の中に含まれるミストを除去して、清浄化された空気を排気するミスト除去装置であって、
外部から空気を吸引して加圧し、吸引した空気の中に含まれるミストを加圧凝集させる送風機と、該送風機によって加圧高速化された空気を流入させ、流入した空気中に含まれるミストを除去して、空気を排出させるミスト捕捉室とを備え、
該ミスト捕捉室は、前記空気を高速に流入させる流入口と、該流入口から流入する空気が衝突する位置に配置され、直接的又は間接的に衝突したミストを付着捕捉するミスト受けと、前記流入口と前記ミスト受けとの間の所定の広がりの周囲空間を囲み、排気される空気中に含まれる前記ミストを付着させて捕捉するフィルタ部材とからなることを特徴とするミスト除去装置。
【請求項３】
前記フィルタ部材は、多孔性又は繊維性又は不織布の材料からなることを特徴とする請求項１又は２記載のミスト除去装置。
【請求項４】
前記フィルタ部材は、一端開放他端閉塞の袋状部材又は両端開放の筒状部材からなると共に、その一端側に、前記流入口が設けられ、かつ、その他端側に、前記受け部材が設けられていることを特徴とする請求項１又は２記載のミスト除去装置。
【請求項５】
前記送風機は、複数の羽根が環状に並べられた羽根車を有すると共に、該羽根車の軸心が前記正面開口部の中心軸線と概略共通する態様で、取り付けられてなる遠心型送風機であって、運転時、該羽根車の軸心方向から空気を取り入れ、取り入れた該空気に旋回流を与え、発生した遠心力によって、前記羽根と羽根との隙間から、旋回する前記空気を前記羽根車の外周方向に圧送する構成とされていることを特徴とする請求項１又は２記載の卓上空気清浄機。
【請求項６】
空気を吸引し、吸引した空気の中に含まれるミストを除去して、清浄化された空気を排気するミスト除去装置であって、
空気を吸引する送風機と、該送風機によって加圧高速化された空気を流入させ、流入した空気中に含まれるミストを除去して、空気を排出させるミスト捕捉室とを備え、
該ミスト捕捉室は、前記空気を高速に流入させる狭い流入口と、前記ミスト又はミストの滴を受けるミスト受けと、前記流入口と前記ミスト受けとの間の所定の広がりの周囲空間を囲み、排気される空気中の前記ミストを付着させて捕捉するフィルタ部材とからなると共に、前記送風機から流入される加圧空気を断熱膨張させて、ミストを凝集化させることで、前記フィルタ部材に捕捉され易くする構成とされていることを特徴とするミスト除去装置。
【請求項７】
空気を吸引し、吸引した空気の中に含まれるミストを除去して、清浄化された空気を排気するミスト除去装置であって、
外部から空気を吸引して加圧し、吸引した空気の中に含まれるミストを加圧凝集させる送風機と、該送風機によって加圧高速化された空気を流入させ、流入した空気中に含まれるミストを除去して、空気を排出させるミスト捕捉室とを備え、
該ミスト捕捉室は、前記空気を高速に流入させる狭い流入口と、前記ミスト又はミストの滴を受けるミスト受けと、前記流入口と前記ミスト受けとの間の所定の広がりの周囲空間を囲み、排気される空気中の前記ミストを付着させて捕捉するフィルタ部材とからなると共に、前記送風機から流入される加圧空気を断熱膨張させて、ミストを凝集化させることで、前記フィルタ部材に捕捉され易くする構成とされていることを特徴とするミスト除去装置。
【請求項８】
前記流入口の断面積が、前記フィルタ部材で画成される前記周囲空間の断面積の１／２０−１／５の範囲に設定されていることを特徴とする請求項６又は７記載のミスト除去装置。
【請求項９】
空気を吸引し、吸引した空気の中に含まれるミストを除去して、清浄化された空気を排気するミスト除去方法であって、
外部から空気を吸引して加圧し、吸引した空気の中に含まれるミストを加圧凝集させ、凝集したミストを直接又は間接的にミスト受けに衝突させ付着させて捕捉すると共に、フィルタ部材によっても捕捉することを特徴とするミスト除去方法。
【請求項１０】
空気を吸引し、吸引した空気の中に含まれるミストを除去して、清浄化された空気を排気するミスト除去方法であって、
外部から空気を吸引して加圧し、当該空気の中に含まれるミストを加圧凝集させ、次に、加圧凝集したミストを含む空気を断熱膨張させて、当該空気の中に含まれるミストをさらに凝集させた後、フィルタ部材によって捕捉することを特徴とするミスト除去方法。
【発明の詳細な説明】
【技術分野】
【０００１】
この発明は、ミスト除去装置及びミスト除去方法に係り、例えば、工作機械から発するオイルミストを除去し、清浄な空気を排出するのに好適なミスト除去装置及びミスト除去方法に関する。
【背景技術】
【０００２】
図１２に示すように、工場の建物１０１内には、多数台の切削用機械等の工作機械１０２が配置される。例えば、切削用機械１０３は、図１３及び図１４に示すように、鋼鉄等の金属からなる加工物１０４を保持する主軸台１０５や心押台１０６及び切削具１０７が設けられていると共に、切削時に鉱物油を主成分とする油性切削剤（以下、オイルという）を供給するためのオイル供給装置１０８や清浄装置１０９が付設される。
オイル供給装置１０８は、オイルタンク１１０と、オイルを切削位置に供給するオイルポンプ１１１やオイル噴出管１１２等とからなる。オイル噴出管１１２から加工物に供給されたオイルはミスト状となり、空気中の水蒸気と混在して気状媒体（以下、空気という）となる。この空気をこのまま建物１０１内に放出すると、建物１０１内が汚染されるため、該空気は清浄装置１０９を介して外に排出される。清浄装置１０９は、空気の流路上に配置された多孔構造のニッケルメタルフィルタを用いたフィルタ部１１３ａ，１１３ｂを有し、オイルミスト等を含んだ空気が、フィルタ部１１３ａ，１１３ｂによって除去され、例えばフィルタ部１１３ａ，１１３ｂによって捕捉されたオイルミストは凝集して油分として落下し、オイル貯留部１１４に貯留される。清浄装置１０９は、図１２に示すように、工作機械１０２毎に配置され、それぞれダクト１１５が連結され、ダクト１１５を集束ダクト１１６を介して電気集塵機１１７側に連結される。各工作機械１０２側から発生し、清浄装置１０９によってオイルミスト等が除去された上記空気は、全て電気集塵機１１７に導入され、清浄装置１０９によって除去しきれなかった主としてヒュームを除去され、清浄化された空気が排出される。
【０００３】
しかしながら、この清浄装置１０９は、工作機械１０２毎に工作機械１０２の設置箇所に据え付けられ、さらに、それぞれダクト１１５が連結され、電気集塵機１１７によってヒューム等を除去して、屋外に排出されるように構成されているので、電気集塵機１１７の運転を開始すると、使用していない工作機械１０２に対応した清浄装置１０９からも空気を吸い込むので、無駄な電力を消費することになり、維持するために無用なコストがかかるという問題があった。さらに、規模が大きくなるので、導入時にコストが嵩むという問題があった。
また、例えば工作機械１０２の配置換えや、別の種類の工作機械１０２を導入する場合には、ダクト１１５を敷設し直したり、電気集塵機１１７のモータの容量を変更したりしなければならない場合があり、改修時等に融通が利かないという問題があった。
このため、オイルミストを含んだ空気を吸い込み、フィルタ等を介してオイルミストを除去して、清浄な空気を排出するオイルミスト除去装置を、例えば工作機械の近傍に設置するようにした技術が提案されている（例えば、特許文献１参照。）。
【特許文献１】特開２００２−１１３３１６号公報
【発明の開示】
【発明が解決しようとする課題】
【０００４】
解決しようとする問題点は、上記従来技術のオイルミスト除去装置でも、オイルミスト除去効率を維持しつつ、低コスト化、小型化及び軽量化を達成することは困難であるという点である。
【０００５】
この発明は、上述の事情に鑑みてなされたものであって、簡易な構成でオイルミスト除去効率を向上させることができると共に、低コスト化、小型化及び軽量化に寄与することができるミスト除去装置及びミスト除去方法を提供することを目的としている。
【課題を解決するための手段】
【０００６】
上記課題を解決するために、請求項１記載の発明は、空気を吸引し、吸引した空気の中に含まれるミストを除去して、清浄化された空気を排気するミスト除去装置に係り、外部から空気を吸引する送風機と、該送風機によって加圧高速化された空気を流入させ、流入した空気中に含まれるミストを除去して、空気を排出させるミスト捕捉室とを備え、該ミスト捕捉室は、前記空気を高速に流入させる流入口と、該流入口から流入する空気が衝突する位置に配置され、直接的又は間接的に衝突したミストを付着捕捉するミスト受けと、前記流入口と前記ミスト受けとの間の所定の広がりの周囲空間を囲み、排気される空気中に含まれる前記ミストを付着させて捕捉するフィルタ部材とからなることを特徴としている。
【０００７】
また、請求項２記載の発明は、空気を吸引し、吸引した空気の中に含まれるミストを除去して、清浄化された空気を排気するミスト除去装置に係り、外部から空気を吸引して加圧し、吸引した空気の中に含まれるミストを加圧凝集させる送風機と、該送風機によって加圧高速化された空気を流入させ、流入した空気中に含まれるミストを除去して、空気を排出させるミスト捕捉室とを備え、該ミスト捕捉室は、前記空気を高速に流入させる流入口と、該流入口から流入する空気が衝突する位置に配置され、直接的又は間接的に衝突したミストを付着捕捉するミスト受けと、前記流入口と前記ミスト受けとの間の所定の広がりの周囲空間を囲み、排気される空気中に含まれる前記ミストを付着させて捕捉するフィルタ部材とからなることを特徴としている。
【０００８】
また、請求項３記載の発明は、請求項１又は２記載のミスト除去装置に係り、前記フィルタ部材は、多孔性又は繊維性又は不織布の材料からなることを特徴としている。
【０００９】
また、請求項４記載の発明は、請求項１又は２記載のミスト除去装置に係り、前記フィルタ部材が、一端開放他端閉塞の袋状部材又は両端開放の筒状部材からなると共に、その一端側に、前記流入口が設けられ、かつ、その他端側に、前記受け部材が設けられていることを特徴としている。
【００１０】
また、請求項５記載の発明は、請求項１又は２記載のミスト除去装置に係り、前記送風機が、複数の羽根が環状に並べられた羽根車を有すると共に、該羽根車の軸心が前記正面開口部の中心軸線と概略共通する態様で、取り付けられてなる遠心型送風機であって、運転時、該羽根車の軸心方向から空気を取り入れ、取り入れた該空気に旋回流を与え、発生した遠心力によって、前記羽根と羽根との隙間から、旋回する前記空気を前記羽根車の外周方向に圧送する構成とされていることを特徴としている。
【００１１】
また、請求項６記載の発明は、空気を吸引し、吸引した空気の中に含まれるミストを除去して、清浄化された空気を排気するミスト除去装置に係り、空気を吸引する送風機と、該送風機によって加圧高速化された空気を流入させ、流入した空気中に含まれるミストを除去して、空気を排出させるミスト捕捉室とを備え、該ミスト捕捉室は、前記空気を高速に流入させる狭い流入口と、前記ミスト又はミストの滴を受けるミスト受けと、前記流入口と前記ミスト受けとの間の所定の広がりの周囲空間を囲み、排気される空気中の前記ミストを付着させて捕捉するフィルタ部材とからなると共に、前記送風機から流入される加圧空気を断熱膨張させて、ミストを凝集化させることで、前記フィルタ部材に捕捉され易くする構成とされていることを特徴としている。
【００１２】
また、請求項７記載の発明は、空気を吸引し、吸引した空気の中に含まれるミストを除去して、清浄化された空気を排気するミスト除去装置に係り、外部から空気を吸引して加圧し、吸引した空気の中に含まれるミストを加圧凝集させる送風機と、該送風機によって加圧高速化された空気を流入させ、流入した空気中に含まれるミストを除去して、空気を排出させるミスト捕捉室とを備え、該ミスト捕捉室は、前記空気を高速に流入させる狭い流入口と、前記ミスト又はミストの滴を受けるミスト受けと、前記流入口と前記ミスト受けとの間の所定の広がりの周囲空間を囲み、排気される空気中の前記ミストを付着させて捕捉するフィルタ部材とからなると共に、前記送風機から流入される加圧空気を断熱膨張させて、ミストを凝集化させることで、前記フィルタ部材に捕捉され易くする構成とされていることを特徴としている。
【００１３】
また、請求項８記載の発明は、請求項６又は７記載のミスト除去装置に係り、前記流入口の断面積が、前記フィルタ部材で画成される前記周囲空間の断面積の１／２０−１／５の範囲に設定されていることを特徴としている。
【００１４】
また、請求項９記載の発明は、空気を吸引し、吸引した空気の中に含まれるミストを除去して、清浄化された空気を排気するミスト除去方法に係り、外部から空気を吸引して加圧し、吸引した空気の中に含まれるミストを加圧凝集させ、凝集したミストを直接又は間接的にミスト受けに衝突させ付着させて捕捉すると共に、フィルタ部材によっても捕捉することを特徴としている。
【００１５】
また、請求項１０記載の発明は、空気を吸引し、吸引した空気の中に含まれるミストを除去して、清浄化された空気を排気するミスト除去方法に係り、外部から空気を吸引して加圧し、当該空気の中に含まれるミストを加圧凝集させ、次に、加圧凝集したミストを含む空気を断熱膨張させて、当該空気の中に含まれるミストをさらに凝集させた後、フィルタ部材によって捕捉することを特徴としている。
【発明の効果】
【００１６】
この発明の構成によれば、外部から空気を吸引して加圧し、吸引した空気の中に含まれるミストを加圧凝集させて大粒化した後、除去するようにしたので、簡単な構成のミスト受けに衝突させて除去することもでき、比較的きめの粗い安価なフィルタ素材を用いることができる。
【発明を実施するための最良の形態】
【００１７】
第１の最良の形態では、外部から空気を吸引して加圧し、吸引した空気の中に含まれるミストを加圧凝集させ、凝集したミストを直接又は間接的にミスト受けに衝突させ付着させて捕捉すると共に、フィルタ部材によっても捕捉する。
また、第２の最良の形態では、外部から空気を吸引して加圧し、当該空気の中に含まれるミストを加圧凝集させ、次に、加圧凝集したミストを含む空気を断熱膨張させて、当該空気の中に含まれるミストをさらに凝集させた後、フィルタ部材によって捕捉する。
【実施例１】
【００１８】
図１は、この発明の第１実施例であるオイルミスト除去装置の概略概略構成を示す断面図、図２は、同オイルミスト除去装置の概略構成を示す斜視図、図３は、同オイルミスト除去装置の概略構成を示す正面図、図４は、同オイルミスト除去装置の送風機の構成を示す斜視図、図５は、同送風機の周囲に設けれられた案内部の構成を示す斜視図、図６は、同オイルミスト除去装置の動作を説明するための説明図、また、図７は、同オイルミスト除去装置を構成するミスト捕捉室の機能を説明するための説明図である。
【００１９】
この例のオイルミスト除去装置は、工場等の建物内に配置される切削機や溶接機等の工作機械の近傍に、例えば天井吊下方式で配置され、工作機械で発生したオイルミストを除去して清浄な空気を排出するために用いられる。ここで、例えば、汚染源近傍に配置されたフードが先端部に取り付けられたダクトがオイルミスト除去装置の吸気口に接続されて、オイルミストの除去が行われる。  
【００２０】
このオイルミスト除去装置１は、図１乃至図５に示すように、円筒状の吸気部２から吸い込まれた空気を加圧して高速に噴出させる送風機３と、送風機３から流れ込む空気からオイルミストを捕捉して除去した後、清浄化された空気を排気するミスト捕捉室５と、送風機３を収納する装置箱体（ケーシング）６内に送風機３の側縁部を囲むように配置され、送風機３から遠心方向に吐き出された空気を吹き付けられて、該空気をミスト捕捉室５へ導くための案内部７と、例えば送風機３へ電力を供給して運転させるための制御ユニット８とを備えてなっている。
【００２１】
送風機３は、図４に示すように、複数の羽根１１ａ，１１ａ，…が放射状に並べられた羽根車１１と、この羽根車１１を駆動するモータ１２とを有してなる遠心型のターボ送風機であって、羽根車１１及びモータ１２の軸心が吸気部２の中心軸線と概略共通する態様で、装置箱体６に取り付けられている。送風機３では、外部から空気を吸引して加圧し、吸引した空気の中に含まれるミストを加圧凝集させる構成となっている。
【００２２】
ミスト捕捉室５は、装置箱体６の下部に形成され、送風機３から吐出された空気をミスト捕捉室５へ導くための円筒状の接続部１８に垂下状態で取り付けられ、鉛直下方へ向けて延設され、例えば合成樹脂を用いた所定の長さ（例えば、１ｍ）の可撓性を有する長尺な袋状不織布２１を有してなっている。すなわち、このミスト捕捉室５は、空気を高速に流入させる流入口と、該流入口から流入する空気が衝突する位置に配置され、間接的に衝突したミストを付着捕捉するミスト受け１６と、前記流入口と前記ミスト受け１６との間の所定の広がりの周囲空間を囲み、排気される空気中に含まれる前記ミストを付着させて捕捉する袋状不織布（フィルタ部材）２１とからなっている。
【００２３】
この例では、袋状不織布２１の下端部は、塞がれて底部２１ｂとされている。それゆえ、ミスト捕捉室５に流入する空気は、袋状不織布２１の底部２１ｂに衝突するか、底部21ｂを通り抜けて、ミスト受け１６に衝突して、付着され捕捉されるようになっている。底部２１ｂに落下して捕捉されたオイルミストは、凝集して油分Ｑとなって、直下に配置されたミスト受け１６に滴下し貯留される。それゆえ、ミスト受け１６は。オイル回収用トレイ１６としても機能するようになっている。
なお、この袋状不織布２１は、上端部で、取付金物２２を用いて接続部１８に取り付けられている。
【００２４】
一方、袋状不織布２１の側壁部２１ａには、送風機３から吐出され、袋状不織布２１の軸方向に沿って通流する空気が吹き付けられ、この空気を通過させる。
すなわち、送風機３によって加圧され凝集されたオイルミストは、その慣性及び重力のため、急激には曲がらずに、下方へ向かうので、袋状不織布２１の側壁部２１ａから排気される空気の中には、オイルミストは余り含まれていない。したがって、側壁部２１ａからは、清浄化された空気が排出される。たとえ、オイルミストが、袋状不織布２１の側壁部２１ａを通り抜けようとしても、凝集されたオイルミストは、側壁部２１ａで付着捕捉される構成となっている。なお、オイルミストは、側壁部２１ａに接触すれば、付着補足されるので、側壁部２１ａの目の粗さは、オイルミストも通過させる程度の粗さであっても良い。
【００２５】
案内部７は、図５に示すように、装置箱体６の内部に送風機３の側縁部を囲むように配置されて、オイルミストを含む空気が送風機３において遠心力によって高速化されて直接吹き付けられ、ミスト捕捉室５へ向けて空気を導く案内板２３を有している。
【００２６】
次に、図６及び図７を参照して、この例のオイルミスト除去装置１の動作について説明する。
まず、工作機械側から発するオイルミストを含む空気Ａは、送風機３の運転により、図６に示すように、吸気部２から吸引され、送風機３の中心部（羽根車１１の内周部）に流入し、羽根車１１の各羽根１１ａに押されて旋回し、羽根１１ａと羽根１１ａとの隙間から羽根車１１の外周方向に圧送される。
【００２７】
ここで、オイルミストを含む空気が、装置箱体６の内部に送風機３の側縁部を囲むように配置された案内板２３に、送風機３において遠心力によって高速化されて直接吹き付けられ、ミスト捕捉室５へ導かれる。
なお、案内板２３に直接吹き付けられた空気に含まれたオイルミストの一部は、この案内板２３に衝突し、付着して除去される。
【００２８】
図７に示すように、送風機３による吸引加圧によって凝集され、ミスト捕捉室５に導かれた空気に含まれたオイルミストは、その慣性及び重力によって、袋状不織布２１の軸方向に沿って、直進する成分が多く含まれているため、袋状不織布２１の下端部の底部２１ｂへ向かうので、側壁部２１ａから排気される空気中には、オイルミストは余り含まれていない。それゆえ、側壁部２１ａから、きれいな空気が排気される。
ミスト捕捉室５において、底部２１ｂに落下し捕捉されたオイルミストは、凝集して油分Ｑとなって、直下に配置されたミスト受け１６に滴下し貯留される。
なお、制御ユニット８が工作機械の発するオイルミスト等の発生量に応じて送風機３の吸引力を変化させ、最も効果的なオイルミスト除去が行われる。
【００２９】
それゆえ、この例の構成によれば、外部から空気を吸引して加圧し、吸引した空気の中に含まれるミストを加圧凝集させて大粒化した後、主として、ミスト受け１６に衝突させて付着除去する構成としたので、比較的きめの粗い安価なフィルタ素材を用いることができる。
したがって、簡易な構成でありながら、オイルミストを除去することができるので、低コスト化、小型化及び軽量化に寄与することができる。
【実施例２】
【００３０】
第２実施例として、図８に示すように、装置の初段に、プレフィルタ２４を付加するようにすれば、図１の構成に比べて、一段と確実にオイルミストを除去できる。プレフィルタ２５としては、例えば、発泡ウレタンにニッケル粉末を含浸し、これらを焼結してなる多孔構造のニッケルメタルフィルタが好適である。
【実施例３】
【００３１】
図９は、この発明の第３実施例であるオイルミスト除去装置の概略構成を示す断面図である。
この例の装置構成が、上記した実施例２のそれと大きく異なるところは、案内板の送風機側に、オイルミストを吸着させるための吸着シートを配置した点である。
これ以外の構成は、上述した実施例２の構成と略同一であるので、その説明を簡略にする。
【００３２】
この例では、案内部７Ａの案内板２３の送風機３側には、オイルミストを吸着する例えば織布からなる長尺な吸着シート４１が、送風機３の側縁部を囲むように貼着配置されている。
吸着シート４１は、例えば高分子材料から作られた糸を平織りにしてなり、空気中のオイルミスト等が送風機３において遠心力によって高速化されて直接吹き付けられる位置に配置されている。ここで、一部のオイルミストは遠心力によって、吸着シート４１に吸着されるが、残りのオイルミストは、空気の流れに乗って、ミスト捕捉室５Ａへ向かって通流する。なお、一般的には、案内部７Ａにおいて、円筒状の接続部１８に通じる開口部は、通風性の如何にもよるが、吸着シート４１で閉鎖しない方が好ましい。
【００３３】
このように、この例の構成によれば、吸着シート４１を配置したので、プレフィルタ２４によって除去されなかった僅かなオイルミストも、送風機３において遠心力によって高速化されて、シート４１に衝突して吸着されるので、さらに、一段と確実にオイルミストを除去することができる。
【実施例４】
【００３４】
図１０は、この発明の第４実施例であるオイルミスト除去装置１Ｄの概略構成を示す断面図である。
この例の構成のオイルミスト除去装置は、同図に示すように、空気を吸引する送風機３と、送風機３によって加圧高速化された空気を流入させ、流入した空気中に含まれるミストを除去して、空気を排出させるミスト捕捉室５Ｂとを備え、該ミスト捕捉室５Ｂは、加圧された空気を高速に流入させる狭い流入口２１ｃと、ミスト又はミストの滴を受けるミスト受け１６と、流入口２１ｃとミスト受け１６との間の所定の広がりの周囲空間を囲み、排気される空気中のミストを付着させて捕捉する袋状不織布（フィルタ部材）２１とから構成されている。
【００３５】
ここで、袋状不織布２１の流入口２１ｃの断面積が、袋状不織布２１で画成される周囲空間の断面積（すなわち、袋状不織布２１の中央部の平均的断面積）の１／２０−１／５の範囲に設定されているのが好ましい。
【００３６】
上記構成によれば、送風機３から流入口２１ｃを経由して流れ込む加圧空気は、袋状不織布２１の中で断熱膨張し、この結果、ミストが凝集して、外気中で浮遊状態ないしは飛散状態で存在してときに較べて、大粒化するので、袋状不織布２１で捕捉され易くなる。
【００３７】
それゆえ、この例の構成によれば、外部から取り込まれたミストは送風機３によって加圧凝集され、さらに、断熱膨張により、大粒化されるので、きめの粗い安価な袋状不織布２１を用いるようにしても、オイルミストを確実に除去できる。
【実施例５】
【００３８】
図１１は、この発明の第５実施例であるオイルミスト除去装置１Ｅの概略構成を示す断面図である。この例のミスト捕捉室５Ｃが、上述の第４実施例のそれと異なるところは、第４実施例での袋状不織布（フィルタ部材）２１に代えて、両端開放の筒状不織布（フィルタ部材）２６を用いるようにした点である。
この第４実施例によっても、上述の第４実施例で述べたと、略同様の効果を得ることができる。
【実施例６】
【００３９】
ミスト受け１６にミスト衝突させて捕捉する方式では、第１実施例の構成（図１）を、図１１に示す構成に変形して用いることができる。このような構成では、送風機３から高速で流入したミストは、ミスト受け１６に直接衝突して付着捕捉される。
【００４０】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、工場等で用いる場合について述べたが、これに限らず、例えば、焼肉店等の飲食店や、一般家庭において使用しても良い。
また、送風機の羽根形は、前向き羽根のほか、半径向き羽根形や、後ろ向き羽根の場合に適用することができる。
また、オイルミスト除去装置は、天井吊下げに限らず、据置きとしても良いし、また、局所排気に限らず、広域排気としても良い。
【００４１】
また、上述の実施例では、フィルタ部材として、袋状不織布を用いる場合について述べたが、不織布は、合成樹脂製に限らず紙製であっても良いし、また、不織布に限らず、織布でも良い。また、ポリウレタン発泡体等の多孔質の発泡体を用いるようにしても良い。
【００４２】
また、フィルタ部材は、鉛直下方に垂下させずに、水平方向や、斜め下方に向けて配置してもよいし、途中に屈曲部等を設けるようにしても良い。
また、実施例３で、吸着シート４１の繊維材料は、中空繊維等を用いても良い。また、例えば、紙製の不織布を用いても良いし、ポリウレタン発泡体等の多孔質の発泡体を用いるようにしても良い。
さらに、ミスト捕捉室では、ミスト受けにミスト衝突させて捕捉する方式と、断熱膨張による捕捉方式とを、複合して適用することもできる。
【産業上の利用可能性】
【００４３】
この発明のミスト所教装置は、オイルミストのほかインクミスト、その他のミストの除去に適用して有益である。また、ミストのほか金属粉等粉塵の除去にも適用できる。
【図面の簡単な説明】
【００４４】
【図１】この発明の第１実施例であるオイルミスト除去装置の概略概略構成を示す断面図である。
【図２】同オイルミスト除去装置の概略構成を示す斜視図である。
【図３】同オイルミスト除去装置の概略構成を示す正面図である。
【図４】同オイルミスト除去装置の送風機の構成を示す斜視図である。
【図５】同送風機の周囲に設けれられた案内部の構成を示す斜視図である。
【図６】同オイルミスト除去装置の動作を説明するための説明図である。
【図７】同オイルミスト除去装置を構成するミスト捕捉室の機能を説明するための説明図である。
【図８】この発明の第２実施例であるオイルミスト除去装置の概略概略構成を示す断面図である。
【図９】この発明の第３実施例であるオイルミスト除去装置の概略構成を示す断面図である。
【図１０】この発明の第４実施例であるオイルミスト除去装置の概略構成を示す断面図である。
【図１１】この発明の第５実施例であるオイルミスト除去装置の概略構成を示す断面図である。
【図１２】従来技術を説明するための説明図である。
【図１３】従来技術を説明するための説明図である。
【図１４】従来技術を説明するための説明図である。
【符号の説明】
【００４５】
１，１Ａ，１Ｃ,１Ｄ,１Ｅ      オイルミスト除去装置（ミスト除去装置）
２      吸気部
３      送風機
５，５Ａ，５Ｂ      ミスト捕捉室
７，７Ａ      案内部
１１      羽根車
２１，２１Ａ      袋状不織布
２６      筒状不織布
２１ａ      側壁部（フィルタ部材）
２１ｂ      底部（フィルタ部材）
２５      プレフィルタ
【図１】
2006095514.tif 000003
【図２】
2006095514.tif 000004
【図３】
2006095514.tif 000005
【図４】
2006095514.tif 000006
【図５】
2006095514.tif 000007
【図６】
2006095514.tif 000008
【図７】
2006095514.tif 000009
【図８】
2006095514.tif 000010
【図９】
2006095514.tif 000011
【図１０】
2006095514.tif 000012
【図１１】
2006095514.tif 000013
【図１２】
2006095514.tif 000014
【図１３】
2006095514.tif 000015
【図１４】
2006095514.tif 000016